(57)【要約】【課題】  行き先階呼びの登録がされていない場合にエレベータのかごに乗り込んだ乗客にこれを案内する。【解決手段】  かご内に乗客が乗り込んだことを検知する人感検知手段１６と、かご内の乗客に音声で案内情報を報知する音声案内手段１８をかご内に設けと、乗客が乗り込んだことが検知されると、行き先階呼びの登録の有無を判別するとともに、行き先階呼びの登録がされていない場合に、行き先階呼びが未登録である旨の案内を前記音声案内手段１８に報知させる。【選択図】  図１
2005206292.tif 000002
【特許請求の範囲】
【請求項１】
エレベータのかご内に設置した操作盤から登録する行き先階呼びが未登録であることを当該かご内の乗客に案内する装置であって、
かご内に乗客が乗り込んだことを検知する人感検知手段と、
かご内の乗客に音声で案内情報を報知する音声案内手段と、
乗客が乗り込んだことが検知されると、行き先階呼びの登録の有無を判別するとともに、行き先階呼びの登録がされていない場合に、行き先階呼びが未登録である旨の案内を前記音声案内手段に報知させる案内制御手段とを、
具備することを特徴とする行き先階呼びの未登録案内装置。
【請求項２】
前記案内制御手段は、行き先階呼びが未登録であれば、ドアが閉じられようとするときにその旨の案内を前記音声案内手段に報知させることを特徴とする請求項１に記載の行き先階呼びの未登録案内装置。
【請求項３】
前記案内制御手段は、ドアが閉じた後に、ドア開閉制御部に指令して再度ドアを開け、さらに、行き先階呼びが未登録である旨の案内を前記音声案内手段に報知させることを特徴とする請求項２に記載の行き先階呼びの未登録案内装置。
【発明の詳細な説明】
【技術分野】
【０００１】
本発明は、エレベータのかごに乗り込んだ乗客に、行き先階呼びが登録されていないことを知らせる案内装置に関する。
【背景技術】
【０００２】
従来のエレベータでは、乗客はエレベータの乗り場からかごに乗り込み、行き先階呼びを登録するまで、通常次のような手順をふむようになっている。まず、乗り場呼びに応答したかごが乗り場に到着すると、ドアが開き、乗客はかごに乗り込むとともに、操作盤の行き先階釦を押して、行き先階呼びを登録する。ドア閉釦を押すとドアが閉まり、その後、かごは登録された行き先階に移動する。
【０００３】
従来、エレベータにおいては、かご内部に設けられた操作盤のドア開釦、ドア閉釦を押すとドアの開閉動作が行われるようになっており、その際に乗客がドアに挟まれないように様々な安全対策が行われている。例えば、ドアの閉動作を音声で知らせる音声アナウンス装置をかご内に設置するのはその例である。
【発明の開示】
【発明が解決しようとする課題】
【０００４】
しかしながら、従来のエレベータでは、ドアの開閉動作と行き先階呼びの登録手順とは無関係になっている。このため、かごに乗り込んだ乗客が行き先階呼びの登録をしなかった場合には、他に乗客もなく行き先階呼びの登録がなければエレベータのかご自体は動かず停止したままになる。
【０００５】
他方で、ドアは一定の時間が経過すると自動的に閉まるようになっていることから、何もわからない乗客にとっては、エレベータが動かないまま突然ドアが閉まってかご内に閉じこめられたと勘違いしてしまうことがあった。
【０００６】
そこで、本発明の目的は、前記従来技術の有する問題点を解消し、行き先階呼びの登録がされていない場合にエレベータのかごに乗り込んだ乗客にこれを案内するようにした行き先階呼びの未登録案内装置を提供することにある。
【０００７】
また、本発明の他の目的は、行き先階呼びの登録が未登録の状態で、かごが停止したままドアが閉まったときに再度ドアが自動的に開くようにして乗客にかご内に閉じ込められたと勘違いさせないようにした行き先階呼びの未登録案内装置を提供することにある。
【課題を解決するための手段】
【０００８】
前記の目的を達成するために、請求項１に係る発明は、
エレベータのかご内に設置した操作盤から登録する行き先階呼びが未登録であることを当該かご内の乗客に案内する装置であって、
かご内に乗客が乗り込んだことを検知する人感検知手段と、
かご内の乗客に音声で案内情報を報知する音声案内手段と、
乗客が乗り込んだことが検知されると、行き先階呼びの登録の有無を判別するとともに、行き先階呼びの登録がされていない場合に、行き先階呼びが未登録である旨の案内を前記音声案内手段に報知させる案内制御手段とを、具備したことを特徴とするものである。
【０００９】
また、請求項２に係る発明は、請求項１の発明において、前記案内制御手段は、前記操作盤からドア開閉制御部に送られるドア閉信号を取り込み、行き先階呼びが未登録であれば、ドアが閉じられようとするときにその旨の案内を前記音声案内手段に報知させることを特徴とするものである。
【００１０】
さらに、請求項３に係る発明は、請求項２の発明において、前記案内制御手段は、ドアが閉じた後に、ドア開閉制御部に指令して再度ドアを開け、さらに、行き先階呼びが未登録である旨の案内を前記音声案内手段に報知させることを特徴とするものである。
【発明の効果】
【００１１】
請求項１に係る発明によれば、行き先階呼びの登録がされていない場合にエレベータのかごに乗り込んだ乗客に確実にこれを案内することができる。
【００１２】
また、請求項２および３に係る発明によれば、行き先階呼びの登録が未登録の状態で、かごが停止したままドアが閉まったときに再度ドアが自動的に開くようになっているので、かご内に閉じ込められたと乗客が勘違いして慌てることはない。
【発明を実施するための最良の形態】
【００１３】
以下、本発明による行き先階呼びの未登録案内装置の一実施形態について、添付の図面を参照しながら説明する。  
図１は、本発明が適用されるエレベータのかごの内部における操作盤等の配置を示す。この図１において、参照番号１０は操作盤を示す。１２はエレベータのドアである。操作盤１０には、建物の各階毎に割り当てられている行き先階釦１４と、ドア１２を開閉するドア開釦１５ａとドア閉釦１５ｂが設けられている。１６は、乗客に音声で案内する音声案内装置を示し、１８は、かごに乗客が乗り込んできたことを検知する人感センサを示している。
【００１４】
次に、図２は、本実施形態による行き先階呼びの未登録案内装置の構成ブロック構成図である。図２において、参照番号２０は、かご制御部を示し、このかご制御部２０は演算装置、記憶装置、入出力装置およびエレベータの運転全般を制御する制御盤との間で信号を送受信する送受信装置を備えた制御装置である。
【００１５】
制御盤１０に設けられている行き先階釦１４が押されると、押された釦に該当する行き先階呼びがかご制御部２０を介して制御盤に送信されて、行き先階呼びの登録が行われる。また、ドア開釦１５ａまたはドア閉釦１５ｂが押されると、ドア開閉指令信号がドア開閉制御部２２に送られ、このドア開閉制御部２２は、ドア駆動部２４を駆動させてドア１２を開閉するようになっている。
【００１６】
次に、図３は、行き先階呼びが未登録である場合におけるかご制御部２０の処理の流れを示すフローチャートである。以下、図３を参照しながら、本実施形態による行き先階呼びの未登録案内装置の動作について説明する。
【００１７】
かご呼びに応答したかごが到着し、ドア１２が開くと処理が開始され、まず、乗客がかご内に乗り込むと、人感センサ１８が反応して、乗客が乗り込んできたことを検知する（ステップＳ１）。人感センサ１８から検知信号が送られると、かご制御部２０は乗客が乗り込んたことを検知する。つづく、ステップＳ２では、ドア閉釦１５ｂが押されていれば、かご制御部２０は、そのドア閉信号を取り込むと、ステップＳ３に進み、行き先階呼びの登録の有無を判別する。このとき、乗り込んだ乗客が既に行き先階釦１４を押すなどして、既に行き先階呼びの登録がされていれば、処理はここで終了し、以後、通常の運転制御に移行し、かごは登録された行き先階に向かって昇降を開始する。
【００１８】
他方、いずれの行き先階釦１４も押されていないときは、行き先階呼びの登録がないと判断し（ステップＳ３のＮｏ）、音声案内装置１８に指令して、行き先階呼びが未登録である旨の案内情報をアナウンスさせる（ステップＳ４）。これにより、かごに乗り込んだ乗客は、うっかり行き先階釦を押し忘れても、音声によって行き先階が未登録であることを知らされることになる。
【００１９】
こうして乗客が行き先階釦１４を押した場合（ステップＳ５のＹｅｓ）は、処理は終了し、以後、通常の運転制御に移り、かごは登録された行き先階に向かって昇降を開始する。
【００２０】
他方、それでもなお、行き先階釦１４が押されていない場合は（ステップＳ５のＮｏ）、ステップＳ６において、かご制御部２０はドア１２が閉まって閉まっているかどうかを判別し、ドア１２が閉まっていれば、ドア１２を再び開けるために、ドア開閉制御部２２にドア開指令を出力する（ステップＳ７）。そしてさらに、音声案内装置１８に再度指令して、行き先階呼びが未登録である旨の案内情報をアナウンスさせる（ステップＳ８）。
【００２１】
このようにして、ドア１２が閉まっても、ただちにドア１２が開くようになっているので、乗客にとってみれば、かご内に閉じ込められたと乗客は勘違いすることがなく、しかも、その際、行き先階呼びが未登録であることを案内されるので、行き先階釦１４を押し忘れていたことを乗客に直ちに気付かせることができる。
【００２２】
しかる後、乗客が行き先階釦１４を押せば（ステップＳ５のＹｅｓ）、処理は終了し、かごは登録された行き先階に向かって昇降を開始する。
【図面の簡単な説明】
【００２３】
【図１】本発明の一実施形態による行き先階呼びの未登録案内装置のブロック構成図。
【図２】本発明が適用されるエレベータのかご内の操作盤等の配置を示す説明図。
【図３】本発明の一実施形態による行き先階呼びの未登録案内手順を示すフローチャート。
【符号の説明】
【００２４】
１０  操作盤
１２  ドア
１４  行き先階釦
１５ａ  ドア開釦
１５ｂ  ドア閉釦
１６  音声案内装置
１８  人感センサ
２０  かご制御部
２２  ドア開閉制御部
【図１】
2005206292.tif 000003
【図２】
2005206292.tif 000004
【図３】
2005206292.tif 000005